(57)【要約】  【課題】一般的な加工処理によってクレセント受け金具の強度補強を図り、バール等によるこじ開けによっても解錠されない堅固なクレセント錠を得る。  【解決手段】回動自在に取り付けられたクレセント７を備え室内障子側に固定される施錠側金具４と、前記クレセントが係合するフック部８Ｃを備え室外障子側に固定されるクレセント受け金具８とからなるクレセント錠１において、前記クレセント受け金具８は、略方形金属板の内部が切り抜かれ、先端側枠片部８Ｄ、上部枠片部８Ｅおよび下部枠片部８Ｆを有し、前記先端側枠片部８Ｄの内側辺部分に前記クレセント７に係合するフック部８Ｃが形成され、かつ少なくとも前記先端側枠片部８Ｄ、上部枠片部８Ｅおよび下部枠片部８Ｆの３辺において、部材方向に沿って、その内辺側部分８ｄ〜８ｆが外辺側部分８ｈ〜８ｊよりも室外側に窪むように段差が形成されている。【選択図】図２
2005163316.tif 000002
【特許請求の範囲】
【請求項１】
回動自在に取り付けられたクレセントを備え室内障子側に固定される施錠側金具と、前記クレセントが係合するフック部を備え室外障子側に固定されるクレセント受け金具とからなるクレセント錠において、
前記クレセント受け金具は、略方形金属板の内部が切り抜かれ、先端側枠片部、上部枠片部および下部枠片部を有し、前記先端側枠片部の内側辺部分に前記クレセントに係合するフック部が形成され、かつ前記先端側枠片部において、部材方向に沿って、その内辺側部分が外辺側部分よりも室外側に窪むように段差が形成されていることを特徴とするクレセント錠。
【請求項２】
回動自在に取り付けられたクレセントを備え室内障子側に固定される施錠側金具と、前記クレセントが係合するフック部を備え室外障子側に固定されるクレセント受け金具とからなるクレセント錠において、
前記クレセント受け金具は、略方形金属板の内部が切り抜かれ、先端側枠片部、上部枠片部および下部枠片部を有し、前記先端側枠片部の内側辺部分に前記クレセントに係合するフック部が形成され、かつ少なくとも前記先端側枠片部、上部枠片部および下部枠片部の３辺において、部材方向に沿って、その内辺側部分が外辺側部分よりも室外側に窪むように段差が形成されていることを特徴とするクレセント錠。
【発明の詳細な説明】
【技術分野】
【０００１】
本発明は、クレセント受け金具の強度補強を図ったクレセント錠に関する。
【背景技術】
【０００２】
従来より、引き違い窓等のサッシ用施錠装置としてクレセント錠が知られている。このクレセント錠は、図６に示されるように、室内障子５４の縦框に取り付けられるベース金物５１と、このベース金物５１に対してクレセント軸５３を介して回動自在に取り付けられた笠金状のクレセント５２と、室外障子５５に取り付けられ前記クレセント５２が係合するためのフック部５６ａを有するクレセント受け金具５６とからなる施錠装置５０である（例えば、下記特許文献１等参照）。
【特許文献１】特開平１１−９３４８８号公報
【発明の開示】
【発明が解決しようとする課題】
【０００３】
しかしながら、前記クレセント受け金具５６は、図７(A)(B)に示されるように、所定形状に裁断した薄板を曲げ加工した金具を使用しているため、障子の召合せ框部分にバールなどを差し込んで強引に障子の開方向に力を加えると、図８に示されるように、クレセント受け金具５６のフック部分５６ａが外側に大きく変形してクレセント５２から外れ、障子がこじ開けられてしまうことがあった。
【０００４】
一方で、納まりに制限の無い部材であれば、厚みを大きくしたり補強リブを形成するなどの一般的な剛性を増す処理や加工を施すことにより変形が起こらない構造とすることが可能であるけれども、クレセント受け金具の場合には、室内外面に隣接する障子が互いに開閉されるため、所定の厚み内で処理しなければならない等の制約があるとともに、製作コストの点からも加工が単純で済むことが強く要求される。
【０００５】
そこで本発明の主たる課題は、一般的な加工処理によってクレセント受け金具の強度補強を図り、バール等によるこじ開けによっても容易に解錠されない堅固なクレセント錠を提供することにある。
【課題を解決するための手段】
【０００６】
前記課題を解決するために請求項１に係る本発明として、回動自在に取り付けられたクレセントを備え室内障子側に固定される施錠側金具と、前記クレセントが係合するフック部を備え室外障子側に固定されるクレセント受け金具とからなるクレセント錠において、
前記クレセント受け金具は、略方形金属板の内部が切り抜かれ、先端側枠片部、上部枠片部および下部枠片部を有し、前記先端側枠片部の内側辺部分に前記クレセントに係合するフック部が形成され、かつ前記先端側枠片部において、部材方向に沿って、その内辺側部分が外辺側部分よりも室外側に窪むように段差が形成されていることを特徴とするクレセント錠が提供される。
【０００７】
請求項２に係る本発明として、回動自在に取り付けられたクレセントを備え室内障子側に固定される施錠側金具と、前記クレセントが係合するフック部を備え室外障子側に固定されるクレセント受け金具とからなるクレセント錠において、
【０００８】
前記クレセント受け金具は、略方形金属板の内部が切り抜かれ、先端側枠片部、上部枠片部および下部枠片部を有し、前記先端側枠片部の内側辺部分に前記クレセントに係合するフック部が形成され、かつ少なくとも前記先端側枠片部、上部枠片部および下部枠片部の３辺において、部材方向に沿って、その内辺側部分が外辺側部分よりも室外側に窪むように段差が形成されていることを特徴とするクレセント錠が提供される。
【発明の効果】
【０００９】
以上詳説のとおり本発明によれば、一般的な加工処理によってクレセント受け金具の強度補強を図ることができ、バール等によるこじ開けによっても容易に解錠されない堅固なクレセント錠を得ることができる。
【発明を実施するための最良の形態】
【００１０】
以下、本発明の実施の形態について図面を参照しながら詳述する。
図１は本発明に係るクレセント錠１の斜視図、図２はクレセント受け金具８の側面図及び正面図、図３はその平面図である。
【００１１】
クレセント錠１は、図１に示されるように、室内障子２の縦框に取り付けられるベース金物５と、このベース金物５に対してクレセント軸６を介して回動自在に取り付けられたクレセント７とからなる施錠側金物４と、室外障子３に取り付けられ、前記クレセント７が係合するためのフック部８Ｃを備えたクレセント受け金具８とから構成される。
【００１２】
そして、前記クレセント７に一体的に形成された操作レバー７Ａを摘み、クレセント７をほぼ１８０度範囲で回動させることにより、クレセント７の周囲に形成された、壁高を漸次テーパー状に変化させた環状周壁７Ｂが前記クレセント受け金具８に形成されたフック部８Ｃに対して係脱し、窓の施錠または解錠が成されるようになっている。
【００１３】
本発明では特に、バールなどにより障子が強引にこじ開けられ家屋に侵入される強盗事件が多発している事情に鑑み、前記クレセント受け金具８の強度補強を図るようにした。以下、具体的に図２〜図４に基づいて詳述する。
【００１４】
クレセント受け金具８は、略方形金属板の加工によって成形される部材であり、図２に示されるように、ビス孔８ｃ、８ｃが形成された室外障子３に対する固定部８Ａと、クレセント７が係合するためのフック部８Ｃが形成されたブラケット部８Ｂとから構成されている。
【００１５】
前記ブラケット部８Ｂにおいては、方形状に内部が切り抜かれ、この中抜き部８Ｈを囲むように先端側枠片部８Ｄ、上部枠片部８Ｅおよび下部枠片部８Ｆとが夫々形成され、前記先端側枠片部８Ｄの内側辺部分に、前記クレセント７が係合するためのフック部８Ｃが形成されている。前記フック部８Ｃは、先端側枠片部８Ｄの内側辺から連続して室内側に起立する基端リブ８ｂと、この基端リブ８ｂの先端から連続しかつクレセント７側に屈曲する先端リブ８ａとから構成されている。
【００１６】
本クレセント受け金具８においては、前記方形の中抜き部８Ｈを囲む周囲の部材、すなわち前記先端側枠片部８Ｄ、上部枠片部８Ｅ、下部枠片部８Ｆおよび基端側枠片部８Ｇの各辺において、部材方向に沿って、内辺側部分８ｄ〜８ｇが外辺側部分８ｈ〜８ｋよりも室外側に窪むように段差が形成されている。
【００１７】
さらに具体的に詳述すると、前記先端側枠片部８Ｄ、上部枠片部８Ｅ、下部枠片部８Ｆおよび基端側枠片部８Ｇの４辺には、これらの部材を周回するように部材の幅方向中間部分に、断面視で室外側に傾斜するように加工された傾斜加工部９を有し、前記傾斜加工部９よりも中抜き部８Ｈ側に位置する前記先端側枠片部８Ｄ、上部枠片部８Ｅ、下部枠片部８Ｆおよび基端側枠片部８Ｇの内辺側部分８ｄ〜８ｇと、前記傾斜加工部９よりも外側に位置する前記先端側枠片部８Ｄ、上部枠片部８Ｅ、下部枠片部８Ｆおよび基端側枠片部８Ｇの外辺側部分８ｈ〜８ｋとの間に段差が形成されている。この場合、前記段差は前記内辺側部分８ｄ〜８ｇが前記外辺側部分８ｈ〜８ｋよりも室外側に窪むように形成されている。
【００１８】
その結果、前記先端側枠片部８Ｄ、上部枠片部８Ｅ、下部枠片部８Ｆおよび基端側枠片部８Ｇの各部材は、前記傾斜加工部９による段差によって断面剛性が上がるため部材強度の増強が図れるようになる。
【００１９】
また同時に、図４に示されるように、前記クレセント７は施錠時に、フック部８Ｃの基端リブ８ｂと先端リブ８ａとの境界点近傍Ｐに当接することになるが、本クレセント受け金具８においては、前記フック部８Ｃが相対的に室外側に偏倚している先端側枠片部８Ｄの内側辺部分８ｄを基端として形成されているため、同図に示されるように、加力点Ｐとクレセント受け金具８の板面との偏心量をゼロ若しくは極小化できるため、クレセント受け金具８に発生する曲げ応力を小さくできる。
【００２０】
〔他の形態例〕
(1)上記形態例では、前記先端側枠片部８Ｄ、上部枠片部８Ｅ、下部枠片部８Ｆおよび基端側枠片部８Ｇの４辺すべてにおいて、部材方向に沿って内辺側部分と外辺側部分とに段差を有するようにしたが、前記先端側枠片部８Ｄのみにおいて、部材方向に沿って、その内辺側部分が外辺側部分よりも室外側に窪むように段差が形成されていることでもよい。すなわち、前記フック部８Ｃが形成されている先端側枠片部８Ｄにおいて上記段差構造を採用することにより、加力点Ｐとクレセント受け金具８の板面との偏心量をゼロ若しくは極小化できるため、クレセント受け金具８に作用する曲げ応力を低減することが可能である。
【００２１】
(2)上記形態例では、前記先端側枠片部８Ｄ、上部枠片部８Ｅ、下部枠片部８Ｆおよび基端側枠片部８Ｇの４辺すべてにおいて、部材方向に沿ってその内辺側部分と外辺側部分とに段差を有するようにしたが、図５に示されるように、前記先端側枠片部８Ｄ、上部枠片部８Ｅ、下部枠片部８Ｆの３辺において、部材方向に沿って内辺側部分と外辺側部分とに段差を有する構造とすることでもよい。従来のクレセント錠の場合、障子２，３をバールによりこじ開け前記フック部５６ａに過度の力Ｆを加えると、前記フック部５６ａのみが大きく変形するのではなく、上部枠片部５６Ｅおよび下部枠片部５６Ｆが曲げ変形を受けると同時に、先端側枠片部５６Ｄの上部領域及び下部領域が捻れるように変形しフック部５６ａがクレセント７の環状周壁７Ｂから外れることが実験により明らかとなった。従って、本クレセント錠１においても、前記先端側枠片部８Ｄの補強のみならず、前記上部枠片部８Ｅ、下部枠片部８Ｆについても、部材方向に沿って内辺側部分８ｅ、８ｆと外辺側部分８ｉ、８ｊとの間に段差を有する断面形状とするのが望ましい。
【００２２】
(3)上記形態例では、各枠片部８Ｄ〜８Ｇにおいて、内辺側部分８ｄ〜８ｇと外辺側部分８ｈ〜８ｋとの間に段差を形成するに当たり、前記傾斜加工部９を付与するようにしたが、内辺側部分８ｄ〜８ｇと外辺側部分８ｈ〜８ｋとの間に曲面又は曲部を介在させることにより段差を形成するようにしてもよい。
【図面の簡単な説明】
【００２３】
【図１】本発明に係るクレセント錠１の斜視図である。
【図２】クレセント受け金具８を示す、(A)は側面図、(B)は正面図である。
【図３】その平面図である。
【図４】本クレセント錠１の施錠状態を示す平面図である。
【図５】クレセント受け金具８の変形例を示す、(A)は側面図、(B)は正面図である。
【図６】従来のクレセント錠５０の斜視図である。
【図７】そのクレセント受け金具５６の斜視図である。
【図８】障子５４，５５がこじ開けられた際のクレセント受け金具５６の変形状態を示す斜視図である。
【符号の説明】
【００２４】
１…クレセント錠、２…室内障子、３…室外障子、４…施錠側金物、５…ベース金物、６…クレセント軸、７…クレセント、７Ｂ…環状周壁、８…クレセント受け金具、８Ｃ…フック部、８Ｄ…先端側枠片部、８Ｅ…上部枠片部、８Ｆ…下部枠片部、８Ｇ…基端側枠片部、８ｄ〜８ｇ…内辺側部分、８ｈ〜８ｋ…外辺側部分、９…傾斜加工部
【図１】
2005163316.tif 000003
【図２】
2005163316.tif 000004
【図３】
2005163316.tif 000005
【図４】
2005163316.tif 000006
【図５】
2005163316.tif 000007
【図６】
2005163316.tif 000008
【図７】
2005163316.tif 000009
【図８】
2005163316.tif 000010